(57)【特許請求の範囲】
【請求項１】
第１エレメントに対して第２エレメントを螺合して連結した連結部分の周方向に取り付けられて該第２エレメントが第１エレメントに対して螺合解除方向に回転するのを防止するための回転防止用リング状部材であって、
少なくとも該連結部分における該第１エレメントの端縁部分の外周面上に周方向で配置されるリング状本体であって、該第１エレメントに係止される第１係止部を有するリング状本体と、
該リング状本体における該第１係止部から周方向で離れた位置で該リング状本体から側方に延びて該第２エレメントに係合し該第２エレメントの該第１エレメントに対する該螺合解除方向での回転を阻止する第２係止部と、
該第１係止部から周方向で該第２係止部よりも更に周方向で離れた位置において該リング状本体に設けられた解放用部と
を有し、
該リング状本体は、該解放用部を該リング状本体に沿って該第１係止部に向かう周方向に変位させた状態で、該解放用部と該第１係止部との間で該第１エレメントの該外周面から浮き上がるように湾曲し、該第２係止部が該第２エレメントから離れるようにされて該第２エレメントが該螺合解除方向に回転されるのを許容するようにされている回転防止用リング状部材。
【請求項２】
該リング状本体が弾性を有するストリップ部材を湾曲して形成されている請求項１に記載の回転防止用リング状部材。
【請求項３】
該第１係止部は該リング状本体から側方に延びており、該第１エレメントに係合して該リング状本体が周方向で動くのを阻止するようになされている請求項１又は２に記載の回転防止用リング状部材。
【請求項４】
該リング状本体は、該連結部分における該第１エレメントの端縁より内側で該第１エレメントの周りに取り付けられ、該第１係止部は該リング状本体の両側から側方に延びて該第１エレメントに係合して該リング状本体が周方向で動くのを阻止するようになされ、該第２係止部は該リング状本体から側方に該第１エレメントの該端縁を越えて延び該第２エレメントに係合するようにされている請求項１乃至３のいずれか一項に記載の回転防止用リング状部材。
【請求項５】
該解放用部は該リング状本体から半径方向外側に延びて該解放用部を該リング状本体に沿って該第１係止部に向かう周方向に変位させる力を受けるようになされている請求項１乃至４のいずれか一項に記載の回転防止用リング状部材。
【請求項６】
該第１係止部及び該解放用部はそれぞれ該リング状本体の反対側の端部に設けられている請求項１乃至５のいずれか一項に記載の回転防止用リング状部材。
【請求項７】
該リング状本体は、該連結部分に取り付けられたときに、その両端部が相互に重ねられた状態とされ、該解放用部を該リング状本体に沿って該第１係止部に向かう周方向に変位して該リング状本体を半径方向外側に湾曲させたときに該両端部が相互に係止されて当該リング状本体を該湾曲された状態に保持するようになされている請求項１乃至６のいずれか一項に記載の回転防止用リング状部材。
【請求項８】
該第１係止部を該第１エレメントに固定させる固定用材を備える請求項１乃至７のいずれか一項に記載の回転防止用リング状部材。
【請求項９】
筒状のタガネ本体と、
該タガネ本体内に配置されて、該タガネ本体の内部に導入される圧搾空気により軸線方向で前後方向で駆動されるニードルホルダであって、複数のニードルを該タガネ本体の前端開口から前方に延出するように保持するニードルホルダと、
該タガネ本体の該前端開口に螺合されて該タガネ本体に連結され、該ニードルホルダを該タガネ本体内に保持すると共に該ニードルの前方への延出を許容する筒状の前端筒状部材と、
請求項１乃至８のいずれか一項に記載の回転防止用リング状部材と、
を有し、
該回転防止用リング状部材が、該タガネ本体の前端縁部分の外周面上に周方向で配置され、該第１係止部によって該タガネ本体に係止され、該第２係止部が該前端筒状部材の外表面と係合して該前端筒状部材が該タガネ本体に対して螺合解除方向に回転するのを阻止するようにした圧搾空気駆動式タガネ。
【請求項１０】
該前端筒状部材がその外周面で該タガネ本体の該前端縁部分に隣接する部分に設けられた凹部を有し、該第２係止部が該凹部内に係合して該前端筒状部材の該螺合解除方向での回転を阻止するようにされている請求項９に記載の圧搾空気駆動式タガネ。
【請求項１１】
該凹部が、該解放用部を該リング状本体に沿って該第１係止部に向かう周方向に変位することなしに該前端筒状部材を該螺合解除方向に回転しようとするときに、該凹部内にある該第２係止部が係合して該前端筒状部材の該螺合解除方向での回転を阻止する回転阻止面と、該前端筒状部材を螺合方向に回転しようとするときに該凹部内にある該第２係止部を該凹部から半径方向外部に変位させる傾斜面を有する請求項１０に記載の圧搾空気駆動式タガネ。
【請求項１２】
該凹部が、底面と、該底面の該螺合方向側の端部から該螺合方向に傾斜するように該前端筒状部材の外周面まで延びて該回転阻止面を構成する側面と、該底面の該螺合解除方向側の端部から該螺合解除方向に傾斜するように該前端筒状部材の外周まで延びて該傾斜面を構成する側面とを有する請求項１１に記載の圧搾空気駆動式タガネ。
【発明の詳細な説明】
【技術分野】
【０００１】
本発明は、螺合連結される２つのエレメントが螺合解除方向に相対的に回転されるのを防止するリング状部材及びそれを用いた圧搾空気駆動式タガネに関する。
【背景技術】
【０００２】
圧搾空気駆動式タガネにおいては、内部に導入される圧搾空気により前後に駆動されるニードルホルダを備える筒状のタガネ本体と、該タガネ本体の前端に螺合連結されてニードルホルダの前方への飛び出しを防止するとともにニードルホルダが保持するニードル（針タガネ）を前方に延出するように通す前端筒状部材とを備える形式のものが知られている。このような形式の圧搾空気駆動式タガネでは作動中の激しい振動のためにタガネ本体に対して前端筒状部材が緩んで外れてしまう虞がある。【０００３】
従来のこの種の圧搾空気駆動式タガネでは、このような前端筒状部材のタガネ本体に対する緩み外れを防止するために、それらの連結部分の周囲に回転防止用リング状部材を設けるようにしたものがある。この回転防止用リング状部材は、タガネ本体の前端縁に隣接する外表面に（もしくは該外表面から該前端縁に隣接する前端筒状部材の外表面にわたるように）設けられた環状凹部に嵌合される。回転防止用リング状部材は、該回転防止用リング状部材の一端から両側に突出する第１及び第２係止部を有し、第１係止部を該タガネ本体の外表面に設けた凹部に、第２係止部を前端筒状部材の外表面に設けた凹部に嵌合させ、それによりタガネ本体及び前端筒状部材の相対的な回転を防止するようにしている。この回転防止用リング状部材を環状凹部から外すときは、当該回転防止用リング状部材の他端に半径方向外側に折り曲げるようにして設けられた解放用部分を該回転防止用リング状部材に沿って第１及び第２係止部が設けられている同回転防止用リング状部材の一端に向けて周方向に押し込むことにより、当該回転防止用リング状部材の中間部分が該環状凹部から部分的に浮き上がるようにして、棒状の部材などを浮き上がった部分と環状凹部との間に差し込んで当該回転防止用リング状部材を環状凹部から取り外すようにしている。
【先行技術文献】
【特許文献】
【０００４】
本願出願人は上述したごとき従来の圧搾空気駆動式タガネを文献としては認知していない。
【発明の概要】
【発明が解決しようとする課題】
【０００５】
この回転防止用リング状部材は環状凹部内に確実に保持されるだけの弾性係数をもった部材により形成されるために、上述のようにして当該回転防止用リング状部材を環状凹部から外すことは必ずしも容易ではない。本発明は、このような点に鑑み、タガネ本体から外すことなく前端筒状部材を螺合解除方向に回転することを可能とするのに用いることができる回転防止用リング状部材及びそれを使った圧搾空気駆動式タガネを提供することを目的としている。この回転防止用リング状部材は圧搾空気駆動式タガネだけに利用されるものではなく、螺合結合される２つのエレメントが相対的に螺合解除方向に回転するのを防止できるようにするものである。
【課題を解決するための手段】
【０００６】
本発明に係る回転防止用リング状部材は、
第１エレメントに対して第２エレメントを螺合して連結した連結部分の周方向に取り付けられて該第２エレメントが第１エレメントに対して螺合解除方向に回転するのを防止するための回転防止用リング状部材であって、
少なくとも該連結部分における該第１エレメントの端縁部分の外周面上に周方向で配置されるリング状本体であって、該第１エレメントに係止される第１係止部を有するリング状本体と、
該リング状本体における該第１係止部から周方向で離れた位置で該リング状本体から側方に延びて該第２エレメントに係合し該第２エレメントの該第１エレメントに対する該螺合解除方向での回転を阻止する第２係止部と、
該第１係止部から周方向で該第２係止部よりも更に周方向で離れた位置において該リング状本体に設けられた解放用部と
を有し、
該リング状本体は、該解放用部を該リング状本体に沿って該第１係止部に向かう周方向に変位させた状態で、該解放用部と該第１係止部との間で該第１エレメントの該外周面から浮き上がるように湾曲し、該第２係止部が該第２エレメントから離れるようにされて該第２エレメントが該螺合解除方向に回転されるのを許容するようにされている。【０００７】
この回転防止用リング状部材は、解放用部を周方向で押し込むようにすることにより、第２エレメントの螺合解除方向での回転を阻止している第２係止部を第２エレメントから離すようにするだけで、当該回転防止用リング状部材を第１エレメントから外すことなしに第２エレメントを螺合解除方向に回転することを可能とする。【０００８】
該リング状本体は弾性を有するストリップ部材（細長い板状の部材）を湾曲して形成することができる。ただし、リング状本体は弾性を有するリング状のものであればよく、必ずしもストリップ部材で形成する必要はない。また、リング状とは、第１エレメントの周りに保持されるために湾曲された形状を意味する。【０００９】
第１係止部はリング状本体から側方に延びるように構成し、該第１エレメントに係合して該リング状本体が周方向で動くのを阻止するようにすることができる。第1係止部は、リング状本体を周方向で回転しないようにするためのものであり、上記側方に延びるようにした形態の他に、またはそれと一緒に固定ピンや接着剤などの固定用材を用いることが可能である。【００１０】
該リング状本体は、該連結部分における該第１エレメントの端縁より内側で該第１エレメントの周りに取り付けられ、該第１係止部は該リング状本体の両側から側方に延びて該第１エレメントに係合して該リング状本体が周方向で動くのを阻止するようになされ、該第２係止部は該リング状本体から側方に該第１エレメントの該端縁を越えて延び該第２エレメントに係合するようにすることができる。リング状本体の両側から側方に延びる第1係止部を第1エレメントに係合させることにより、該解放用部を押し込んだときに安定して該リング状本体を湾曲させることができるようにするものであるが、この第１係止部はリング状本体の一方の側にだけ延びるものとすることができる。【００１１】
該解放用部は該リング状本体から半径方向外側に延びて該解放用部を該リング状本体に沿って該第１係止部に向かう周方向に変位させる力を受けるようにすることができる。該解放用部は該リング状本体を湾曲させるための力を加えるためのものであり、該リング状本体とは別体のものを固着して形成することも可能である。【００１２】
典型的な例としては、該第１係止部及び該解放用部はそれぞれ該リング状本体の反対側の端部に設けられる。【００１３】
該リング状本体は、該連結部分に取り付けられたときに、その両端部が相互に重ねられた状態とされ、該解放用部を該リング状本体に沿って該第１係止部に向かう周方向に変位して該リング状本体を半径方向外側に湾曲させたときに該両端部が相互に係止されて当該リング状本体を湾曲された状態に保持するようにすることができる。
例えば、リング状本体の一端の第1係止部に隣接して半径方向外側に突出する係止突起を設け、他端に開口を設けて該解放用部を周方向で変位した時に該係止突起が該開口に嵌合することによりリング状本体が湾曲された状態に保持されるようにすることができる。【００１４】
本発明は上述の回転防止用リング状部材を用いた圧搾空気駆動式タガネを提供する。
すなわち、この圧搾空気駆動式タガネは、
筒状のタガネ本体と、
該タガネ本体内に配置されて、該タガネ本体の内部に導入される圧搾空気により軸線方向で前後方向で駆動されるニードルホルダであって、複数のニードルを該タガネ本体の前端開口から前方に延出するように保持するニードルホルダと、
該タガネ本体の該前端開口に螺合されて該タガネ本体に連結され、該ニードルホルダを該タガネ本体内に保持すると共に該ニードルの前方への延出を許容する筒状の前端筒状部材と、
上述の回転防止用リング状部材と
を有し、
該回転防止用リング状部材が、該タガネ本体の前端縁部分の外周面上に周方向で配置され、該第１係止部によって該タガネ本体に係止され、該第２係止部が該前端筒状部材の外表面と係合して該前端筒状部材が該タガネ本体に対して螺合解除方向に回転するのを阻止するようにされている。
ここで、筒状のタガネ本体とは、以下において説明する本願発明の実施形態にあるような、ニードルホルダを収納したシリンダと該シリンダを収納した筒状のハウジングとからなるものでも、そのようなシリンダとハウジングとを一体として形成したようなものでもよい。【００１５】
この圧搾空気駆動式タガネにおける該前端筒状部材は、その外周面で該タガネ本体の該前端縁部分に隣接する部分に設けられた凹部（以下に述べる実施形態における第２係止用凹部４６に対応する）を有し、該第２係止部が該凹部内に係合して該前端筒状部材の螺合解除方向での回転を阻止するようにすることができる。【００１６】
該凹部は、該解放用部を該リング状本体に沿って該第１係止部に向かう周方向に変位することなしに該前端筒状部材を該螺合解除方向に回転しようとするときに、該凹部内にある該第２係止部が係合して該前端筒状部材の該螺合解除方向での回転を阻止する回転阻止面と、該前端筒状部材を螺合方向に回転しようとするときに該凹部内にある該第２係止部を該凹部から半径方向外部に変位させる傾斜面を有するようにすることができる。
このようにすることにより、回転防止用リング状部材をタガネ本体に取り付けたまま前端筒状部材の螺合解除方向への回転を防止すると共に螺合方向への回転を可能とする。【００１７】
該凹部の別の形態としては、底面と、該底面の該螺合方向側の端部から該螺合方向に傾斜するように該前端筒状部材の外周面まで延びて該回転阻止面を構成する側面と、該底面の該螺合解除方向側の端部から該螺合解除方向に傾斜するように該前端筒状部材の外周まで延びて該傾斜面を構成する側面とを有するようにすることができる。
該螺合方向側の側面に上述のような螺合解除方向での回転阻止機能を与えつつ、上記のように傾斜させることにより、該解放用部を周方向で該第２係止部を越えて該第１係止部に向かう周方向に変位して該回転防止用リング状部材を該解放用部と該第１係止部との間で該第１エレメントの該外周面から浮き上がるように湾曲させて該第２係止部が該凹部から半径方向外側に変位されるようにするときに、該第２係止部が該回転阻止面に係合しても、その半径方向外側への変位が妨げられないようにするためである。【００１８】
以下、本発明に係る回転防止用リング状部材及びそれを用いた圧搾空気駆動式タガネの実施形態を添付図面に基づき説明する。
【図面の簡単な説明】
【００１９】
【図１】本発明の一実施形態に係る圧搾空気駆動式タガネの斜視図である。
【図２】図１の圧搾空気駆動式タガネが駆動されていない状態の縦断面図である。
【図３】図１の圧搾空気駆動式タガネに用いられている回転防止用リング状部材の斜視図である。
【図４】図３の回転防止用リング状部材の側面図である。
【図５】同回転防止用リング状部材の正面図である。
【図６】図１の圧搾空気駆動式タガネの前端面図である。
【図７】図６と同様の図であるが、回転防止用リング状部材の解放用部を変位してリング状本体を半径方向外側に膨らませ、前端筒状部材が螺合解除方向に回転できるようにした状態を示す図である。
【図８】図１の圧搾空気駆動式タガネの前端筒状部材の斜視図である。
【図９】前端筒状部材の変形例を示す斜視図である。
【図１０】前端筒状部材の他の変形例を示す斜視図である。
【図１１】回転防止用リング状部材の変形例を示す斜視図である。
【図１２】図１１の回転防止用リング状部材が圧搾空気駆動式タガネに装着されているときの状態を示す正面図である。
【図１３】図１１の回転防止用リング状部材を他の方向から見た斜視図である。
【図１４】別の形態の回転防止用リング状部材を示す前端面図である。
【発明を実施するための形態】
【００２０】
図１に示すように本発明の実施例に係る圧搾空気駆動式タガネ１０は、複数（図においては６本）のニードル（針タガネ）１２を備え、当該圧搾空気駆動式タガネ１０の後端の空気導入孔１３（図２）に接続される図示しない圧搾空気供給管を通して導入される圧搾空気によりニードル１２を全体として前後に駆動し、その先端で被作業部位を打撃して斫り（はつり）などの作業を行うものである。図２に示すように、圧搾空気駆動式タガネ１０は、筒状のハウジング１４と、該ハウジング１４内に同軸状に取り付けられ後端が閉止部材１６ａによって閉じられているシリンダ１６と、該シリンダ１６内に軸線方向で後方から前方に順次取り付けられ軸線方向でそれぞれ可動とされたピストン１８、アンビル２０、ニードル１２を保持するニードルホルダ２２と、シリンダ１６の前端に取り付けられてニードルホルダ２２の前方への飛び出しを防止するとともにニードルホルダ２２が保持するニードルを前方に延出するように通す前端筒状部材２４とを有している。ハウジング１４はハウジング後部１４ａとハウジング前部１４ｂとからなり、これらハウジング後部及び前部１４ａ，１４ｂは相互に螺合結合されることによりシリンダ１６を前後から挟着するようにして固定するようになっている。
【００２１】
図示の実施形態では、前端筒状部材２４はシリンダ１６の前端に螺合結合するようになっているが、ハウジング１４の前端に螺合結合するようにすることもできる。本発明は、このように前端筒状部材２４が、シリンダ１６に螺合結合される場合でも又はハウジング１４に螺合結合される場合でも、当該圧搾空気駆動式タガネ１０の作動に伴う激しい振動により螺合解除方向に回転されて圧搾空気駆動式タガネ１０の前端から外れたりするのを防止するものであり、従って、本明細書では前端筒状部材２４に対するハウジング１４及びシリンダ１６からなるものを筒状タガネ本体２６と称し、該筒状タガネ本体２６に対する前端筒状部材２４の螺合解除方向での回転防止につき述べる。ここで筒状タガネ本体２６及び前端筒状部材２４は、本願明細書における[請求の範囲]及び[課題を解決するための手段]の記載で述べる第1エレメント及び第２エレメントにそれぞれ対応するものである。
【００２２】
図１及び図２に示すように、筒状タガネ本体２６と前端筒状部材２４との螺合結合部分の外周面には本発明に係る回転防止用リング状部材３０が設けられている。この回転防止用リング状部材３０は、図３乃至図５に示すように、弾性を有するストリップ部材（細長い板状部材）からなり、円弧状に湾曲されたリング状本体３２と、該リング状本体３２の一端から両側方に延びる第１係止部３４と、他端から半径方向外側に延びる解放用部３６と、第１係止部３４と解放用部３６との間の一側から側方に延びる第２係止部３８とを有している。
【００２３】
図１に示すように筒状タガネ本体２６（ハウジング１４）の前端縁に近い外周面には周方向に延びてリング状本体３２が嵌合される環状凹部４０と、リング状本体３２が環状凹部４０に嵌合されたときに、第１係止部３４が嵌合されるように環状凹部４０から両側方（筒状タガネ本体２６の前後方向）に短く延びた第１係止用凹部４２、４４及び第２係止部３８が（筒状タガネ本体２６の）前方に延びて前端筒状部材２４の外表面上に至るのを許容する通過凹部４５（図７）が設けられている。
【００２４】
前端筒状部材２４は筒状タガネ本体２６の前端に隣接する外周面に周方向で間隔をあけて設けられた複数（図示の例では６個）の第２係止用凹部４６を有しており、環状凹部４０から側方に延びた第２係止部３８がいずれかの第２係止用凹部４６内に係合されるようになっている。図６に示すように、この実施形態においては、第２係止用凹部４６はほぼ半径方向に延びる回転阻止面４６ａと該回転阻止面４６ａから前端筒状部材２４の外周面に向けて傾斜する傾斜面４６ｂとを有している。すなわち、前端筒状部材２４は図で見て時計回りに回転することにより筒状タガネ本体２６に螺合連結されており、螺合解除方向（すなわち反時計方向）に回転しようとすると第２係止部３８が係合している第２係止用凹部４６の回転阻止面４６ａが第２係止部３８に係合してその回転を阻止する。一方、前端筒状部材２４を更に螺合する方向（時計方向）に回転しようとするときには、第２係止用凹部４６に係合している第２係止部３８は傾斜面４６ｂによって半径方向外側に変位されて前端筒状部材２４の外表面にまで至るので、螺合方向での回転が許容される。尚、図６において参照番号５０，５２で示されるのは、筒状タガネ本体２６（ハウジング１４）の後端で空気導入孔１３から延びる圧搾空気供給通路５４に設けられた開閉弁５６を開閉する作動ピン及び該作動ピンを操作するために筒状タガネ本体２６に枢着されたレバーである。
【００２５】
図７は前端筒状部材２４を螺合解除方向（反時計方向）に回転するのを可能とするために、回転防止用リング状部材３０の解放用部３６を図６の位置から時計方向に（すなわち、解放用部３６からリング状本体３２に沿って第１係止部３４に向かう周方向に）変位させた状態を示す。この状態では回転防止用リング状部材３０のリング状本体３２は外側に膨れるように湾曲し、第２係止部３８が前端筒状部材２４の第２係止用凹部４６から半径方向外側に持ち上げられており、従って前端筒状部材２４を螺合解除方向に回転しても、第２係止用凹部４６の回転阻止面４６ａが第２係止部３８によって係止されることはなく前端筒状部材２４の回転が許容される。
【００２６】
図８は上述した前端筒状部材２４の斜視図であるが、図９は第２係止用凹部４６を略矩形状断面として設けた前端筒状部材２４の変形例、図１０は第２係止用凹部４６を周方向で６個の面取りをして形成した前端筒状部材２４の変形例を示している。図１４には図９の前端筒状部材２４に類似した変形例が示されている。この変形例では、第２係止用凹部４６が底面４６ｃと、該底面４６ｃの周方向両側から前端筒状部材２４の外周面まで延びる側面４６ｄ、４６ｅとを有し、該側面４６ｄ、４６ｅは周方向で相互に離れる方向に傾斜している。図１４は図６及び図７と同様に前端筒状部材２４を前方から見た図であり、時計方向が螺合方向、反時計方向が螺合解除方向となっている。従って、図で見て各第２係止用凹部４６の底面４６ｃの時計方向側端部から延びる側面４６ｄが図７の前端筒状部材２４における「回転阻止面４６ａ」に対応し、側面４６ｅが「傾斜面４６ｂ」に対応する機能を有する。側面４６ｄには上述のような螺合解除方向での回転阻止機能を与えつつ、上記のように傾斜させることにより、回転防止用リング状部材３０の解放用部３６を周方向で第２係止部３８を越えて第１係止部３４に向かう周方向に変位して、図７に示すように、当該回転防止用リング状部材３０を筒状タガネ本体２６の外周面から浮き上がるように湾曲させて第２係止部３８が第２係止用凹部４６から半径方向外側に変位されるようにするときに、図６と図７との比較から分かるように、半径方向外側に変位するとともに螺合方向にも変位する第２係止部３８が回転阻止面としての側面４６ｄに係合しても、その半径方向外側への変位が妨げられないようにしている。
【００２７】
図１１乃至図１３は、回転防止用リング状部材３０の変形例を示している。すなわち、この回転防止用リング状部材３０は前述のものと同様にリング状本体３２と、その一端に設けられた第１係止部３４と、他端に設けられた解放用部３６と、両端間に設けられた第２係止部３８とを有している。また、第１係止部３４から更に周方向に延びて半径方向外側に折り曲げられた係止突起３４ａをさらに有し、リング状本体３２の他端には係止突起３４ａの半径方向外側に重なるようにしその重なり部分の幅を広いものとして半径方向で貫通する係止用開口３６ａが設けられるようにされている。図１２は、この回転防止用リング状部材３０が筒状タガネ本体２６の前端外周面に設けられた環状凹部４０に嵌合されたときの状態を示している。この状態から前端筒状部材２４の螺合解除方向での回転を可能とするために図１２で見て反時計方向（すなわち、リング状本体３２に沿って周方向で第２係止部３８を越えて第１係止部３４に向かう周方向）に変位させて回転防止用リング状部材３０が図７を用いて説明した半径方向外側に膨らんだ状態になったときに係止用開口３６ａが係止突起３４ａと嵌合するようにされている。すなわち、このような状態では作業者が解放用部３６を押し込む力を加え続けることなしに前端筒状部材２４を螺合解除方向に回転することが可能となる。
【００２８】
以上、本発明に係るいくつかの実施形態を説明したが本発明はこれらに限定されるものではなく種々の変形が可能である。例えば、筒状タガネ本体２６の前端に形成される回転防止用リング状部材３０を嵌合するための環状凹部４０は筒状タガネ本体２６の外周面の前端からわずかに離れた位置に設けられているが、該外周面の前端を越えて前端筒状部材の外表面にわたって設けるようにすることができ、この場合には第１係止部は筒状タガネ本体２６の後方にだけ延びるものとされる。第1係止部は、リング状本体を筒状タガネ本体２６に対して周方向で回転しないようにするためのものであり、上記側方に延びるようにした形態の他に、またはそれと一緒に固定ピンや接着剤などの固定用材を用いることが可能である。また、リング状本体３２の一端を筒状タガネ本体２６にヒンジ状の連結することも可能であり、この場合は、回転防止用リング状部材３０の解放用部３６を図６の位置から時計方向に変位させたときに、回転防止用リング状部材３０のリング状本体３２が外側に膨れるのを容易にすることができる。
【符号の説明】
【００２９】
圧搾空気駆動式タガネ１０；ニードル（針タガネ）１２；空気導入孔１３；ハウジング１；ハウジング後部１４ａ；ハウジング前部１４ｂ；シリンダ１６；閉止部材１６ａ；ピストン１８、アンビル２０；ニードルホルダ２２；前端筒状部材２４（請求の範囲における「第２エレメント」）；筒状タガネ本体２６（請求の範囲における「第１エレメント」）；回転防止用リング状部材３０；リング状本体３２；第１係止部３４；係止突起３４ａ；解放用部３６；係止用開口３６ａ；第２係止部３８；環状凹部４０；第１係止用凹部４２、４４；通過凹部４５；第２係止用凹部４６(請求の範囲における「凹部」)；回転阻止側面４６ａ；傾斜側面４６ｂ；底面４６ｃ；側面４６ｄ、４６ｅ；作動ピン５０；レバー５２；圧搾空気供給通路５４；開閉弁５６
【図１】
0006533628.tif 000002
【図２】
0006533628.tif 000003
【図３】
0006533628.tif 000004
【図４】
0006533628.tif 000005
【図５】
0006533628.tif 000006
【図６】
0006533628.tif 000007
【図７】
0006533628.tif 000008
【図８】
0006533628.tif 000009
【図９】
0006533628.tif 000010
【図１０】
0006533628.tif 000011
【図１１】
0006533628.tif 000012
【図１２】
0006533628.tif 000013
【図１３】
0006533628.tif 000014
【図１４】
0006533628.tif 000015